【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
アロファネート基と弗素と必要に応じイソシアヌレート基とを有するポリイソシアネートアダクトにおいて、
（ｉ）  実質的にヒドロキシル基およびイソシアネート基を含まず、
（ii)   １分子当たり平均して少なくとも２個のウレタン基を有し、
（iii)  ポリイソシアネートアダクトの重量に対し０〜５０重量％の弗素を含有する
化合物（ａ）をウレタン基の当量に対し過剰量のポリイソシアネート（ｂ）（これは必要に応じ弗素を含有する）と反応させてポリイソシアネートアダクトを生成させると共に、必要に応じ未反応の過剰ポリイソシアネート（ｂ）の少なくとも一部を除去することにより製造され、ただし化合物（ａ）およびポリイソシアネート（ｂ）はポリイソシアネートアダクトの重量に対し全部で少なくとも０．００１重量％の弗素を含有することを特徴とするポリイソシアネートアダクト。
【請求項２】
化合物（ａ）が０．０１〜５０重量％の弗素を含有する請求項１に記載のポリイソシアネートアダクト。
【請求項３】
化合物（ａ）が、脂肪族ジイソシアネートを１個のヒドロキシ基を有する弗素含有化合物と反応させることにより製造される請求項２に記載のポリイソシアネートアダクト。
【請求項４】
化合物（ａ）が、モノイソシアネートを２個のヒドロキシ基を有する化合物と反応させて製造される請求項２に記載のポリイソシアネートアダクト。
【請求項５】
脂肪族ジイソシアネートが１，６−ヘキサメチレンジイソシアネートからなる請求項３に記載のポリイソシアネートアダクト。
【請求項６】
化合物（ａ）がポリイソシアネートアダクトの重量に対し２０〜５０重量％の弗素を含有する請求項１〜５のいずれかに記載のポリイソシアネートアダクト。
【請求項７】
（Ａ）  アロファネート基と弗素と必要に応じイソシアヌレート基とを有し、
（ｉ）  実質的にヒドロキシル基およびイソシアネート基を含まず、
（ii)   １分子当たり平均して少なくとも２個のウレタン基を有し、
（iii)  ポリイソシアネートアダクトの重量に対し２０〜５０重量％の弗素を含有する
化合物（ａ）をウレタン基の当量に対し過剰量のポリイソシアネート（ｂ）と反応させてポリイソシアネートアダクトを生成させると共に必要に応じ未反応の過剰ポリイソシアネート（ｂ）の少なくとも一部を除去することにより製造されるポリイソシアネートアダクトと、
（Ｂ）  ビウレット基、イソシアヌレート基、アロファネート基、ウレタン基、尿素基、カルボジイミド基および／またはウレトジオン基を有するポリイソシアネートアダクト
とからなり、成分（Ａ）および（Ｂ）はポリイソシアネート組成物が固形分に対し０．００１〜１０重量％の弗素含有量を有するような量で存在することを特徴とするポリイソシアネート組成物。
【請求項８】
化合物（ａ）が０．０１〜５０重量％の弗素を含有する請求項７に記載のポリイソシアネート組成物。
【請求項９】
化合物（ａ）が、脂肪族ジイソシアネートを１個のヒドロキシ基を有する弗素含有化合物と反応させることにより製造される請求項８に記載のポリイソシアネート組成物。
【請求項１０】
化合物（ａ）が、モノイソシアネートを２個のヒドロキシ基を有する化合物と反応させることにより製造される請求項８に記載のポリイソシアネート組成物。
【請求項１１】
脂肪族ジイソシアネートが１，６−ヘキサメチレンジイソシアネートからなる請求項９に記載のポリイソシアネート組成物。
【請求項１２】
アロファネート基と弗素と必要に応じイソシアヌレート基とを有するポリイソシアネートアダクトの製造方法において、
（ｉ）  実質的にヒドロキシル基およびイソシアネート基を含まず、
（ii)   １分子当たり平均して少なくとも２個のウレタン基を有し、
（iii)  ポリイソシアネートアダクトの重量に対し０〜５０重量％の弗素を含有する
化合物（ａ）をウレタン基の当量に対し過剰量のポリイソシアネート（ｂ）（これは必要に応じ弗素を含有する）と反応させてポリイソシアネートアダクトを生成させると共に必要に応じ未反応の過剰ポリイソシアネート（ｂ）の少なくとも一部を除去することからなり、ただし化合物（ａ）およびポリイソシアネート（ｂ）がポリイソシアネートアダクトの重量に対し全部で少なくとも０．００１重量％の弗素を含有することを特徴とするポリイソシアネートアダクトの製造方法。
【請求項１３】
請求項１に記載のポリイソシアネートアダクトと、少なくとも２個のイソシアネート反応性基を有する化合物とを含有する２−成分被覆組成物。
【請求項１４】
イソシアネート基が封鎖されている請求項１に記載のポリイソシアネートアダクトと、少なくとも２個のイソシアネート反応性基を有する化合物とを含有する１−成分被覆組成物。
【手続補正２】
【補正対象書類名】明細書
【補正対象項目名】００１４
【補正方法】変更
【補正の内容】
【００１４】
化合物（ａ）を作成するのに適する弗素を含有した適するイソシアネート反応性化合物は、２個もしくはそれ以上の炭素原子と１個もしくはそれ以上のヒドロキシル基（好ましくは１個もしくは２個のヒドキシル基、より好ましくは１個）と１個もしくはそれ以上の弗素原子（好ましくは−ＣＦ2 −基として）とを有する化合物である。これら化合物の例は脂肪族、脂環式、芳香脂肪族もしくは芳香族のヒドロキシル基含有化合物であって、２個もしくはそれ以上の炭素原子を有すると共に弗素原子（好ましくはフルオロアルキル基）をも含有する。これら化合物は線状、分枝鎖もしくは環式とすることができ、１０，０００まで、好ましくは５０００まで、より好ましくは３０００まで、特に好ましくは２０００までの分子量（標準としてポリスチレンを用いるゲル透過クロマトグラフィーにより測定される数平均分子量）を有することができる。これら化合物は一般に５より大、好ましくは２５より大、より好ましくは３５より大のＯＨ価を有する。ヒドロキシル基含有化合物は必要に応じ他のヘテロ原子をたとえばエーテル基、エステル基、カーボネート基、アクリル基などとして有することもできる。
【手続補正３】
【補正対象書類名】明細書
【補正対象項目名】００１６
【補正方法】変更
【補正の内容】
【００１６】
本発明により使用するのに好適なものは１個もしくはそれ以上のヒドロキシル基、好ましくは１個もしくは２個のヒドロキシル基、より好ましくは１個のヒドロキシル基；１個もしくはそれ以上のフルオロアルキル基；必要に応じ１個もしくはそれ以上のメチレン基；並びに必要に応じたとえばエーテル基のような他のヘテロ原子を含む化合物である。これら化合物は、好ましくは２０００未満の分子量、または３５より大のヒドロキシル価を有する。
特に好ましくは、化合物（ａ）はモノマージイソシアネートおよび弗素含有モノヒドロキシ化合物から作成される。
ウレタン基を有する化合物（ａ）の分子量は、イソシアネート成分およびアルコール成分の適する選択により、特にその平均官能価により調整することができる。少なくとも２０モル％のイソシアネート成分もしくはアルコール成分のいずれかを一官能性成分で構成して、ウレタン基を生成させる反応に際し連鎖停止をもたらす。このことは、イソシアネート成分およびアルコール成分の平均官能価が好ましくは２未満であることを意味する。